(57)【要約】      （修正有）【課題】ハンカチとしての商品価値を損なうことなく、極めて経済性に資する袋物兼用ハンカチを提供する。【解決手段】袋物兼用ハンカチにおいて、２枚の長方形状の布生地本体１を重ね合わせたうえ、２つの長辺と一方の短辺の三辺を縫着し、残りの他方の短辺を開口部とすることにより袋状体を形成し、当該布地本体の当該開口部下方に当該開口部に並行する直線状切欠部２を設けた。【選択図】図１
0003225351.tif 000002
【実用新案登録請求の範囲】
【請求項１】
袋物兼用ハンカチにおいて、２枚の長方形状の布生地本体を重ね合わせ、２つの長辺と一方の短辺の三辺を縫着し、残りの他方の短辺を開口部とすることにより袋状体を形成し、当該布生地本体の当該開口部下方に切欠部を設けたことを特徴とする袋物兼用ハンカチ。
【請求項２】
上記切欠部が、上記開口部に並行する直線状に形成されることを特徴とする請求項１に記載の袋物兼用ハンカチ。
【請求項３】
上記長方形状の布生地本体の両表面において、短辺に並行し長辺を三分割する２つの横線により区画された３面を各面独立の色又は模様を施す態様で形成したことを特徴とする請求項１又は請求項２の何れかに記載された袋物兼用ハンカチ。
【請求項４】
上記長方形状の布生地本体の両表面において、短辺に並行し長辺を三分割する２つの横線により区画された３面の隣接する面同士は相互に異なる色又は模様を施す態様で形成したことを特徴とする請求項１又は請求項２の何れかに記載された袋物兼用ハンカチ。
【請求項５】
上記長方形状の布生地本体の両表面において、長辺に並行し短辺を三分割する２つの縦線により区画された３面を各面独立の色又は模様を施す態様で形成したことを特徴とする請求項１又は請求項２の何れかに記載された袋物兼用ハンカチ。
【請求項６】
上記長方形状の布生地本体の両表面において、長辺に並行し短辺を三分割する２つの縦線により区画された３面の隣接する面同士は相互に異なる色又は模様を施す態様で形成したことを特徴とする請求項１又は請求項２の何れかに記載された袋物兼用ハンカチ。
【請求項７】
上記長方形状の布生地本体の両表面において、長辺に並行し短辺を三分割する２つの縦線と、短辺に並行し長辺を二分割する１つの横線により区画された６面を各面独立の色又は模様を施す態様で形成したことを特徴とする請求項１又は請求項２の何れかに記載された袋物兼用ハンカチ。
【請求項８】
上記長方形状の布生地本体の両表面において、長辺に並行し短辺を三分割する２つの縦線と、短辺に並行し長辺を二分割する１つの横線により区画された６面の縦横いずれかに隣接する面同士は相互に異なる色又は模様を施す態様で形成したことを特徴とする請求項１又は請求項２の何れかに記載された袋物兼用ハンカチ。
【考案の詳細な説明】
【技術分野】
【０００１】
本考案は、主としてハンカチとして使用され、使用者の状況に応じ、いわゆるエコバッグなどの袋物に転用可能な袋物兼用ハンカチに関するものである。
【背景技術】
【０００２】
従来より、ハンカチやタオルを兼用する袋物は、知られており、例えば、登録実用新案第３１４３９６８号が公知である（先行技術参照）。
【先行技術文献】
【特許文献】
【０００３】
【特許文献１】実用新案登録第３１４３９６８号公報
【０００４】
しかしながら、上記従来の袋物においては、袋物の持ち手として機能する紐体などが露出しており、日常的に主として使用するハンカチとしての体裁に問題があった。
【０００５】
また、紐体など、ハンカチ本体に使用する生地以外の部材を設けるコストも生じることになる。
【考案の概要】
【考案が解決しようとする課題】
【０００６】
本考案は、上記問題点に鑑みなされたものであって、ハンカチとしての商品価値を損なうことなく、極めて経済性に資する袋物兼用ハンカチを提供するものである。
【課題を解決するための手段】
【０００７】
本考案は、請求項１に記載のように、袋物兼用ハンカチにおいて、２枚の長方形状の布生地本体を重ね合わせたうえ、２つの長辺と一方の短辺の三辺を縫着し、残りの他方の短辺を開口部とすることにより袋状体を形成し、当該布地本体の当該開口部下方に切欠部を設けたことを特徴とするものである。
【０００８】
本考案は、請求項２に記載のように、請求項１に記載の袋物兼用ハンカチにおいて、上記切欠部が、上記開口部に並行する直線状に形成されることを特徴とするものである。
【０００９】
本考案は、請求項３に記載のように、請求項１又は請求項２の何れかに記載される袋物兼用ハンカチにおいて、上記長方形状の布生地本体の両表面において、短辺に並行し長辺を三分割する２つの横線により区画された３面を各面独立の色又は模様を施す態様で形成したことを特徴とするものである。
【００１０】
本考案は、請求項４に記載のように、請求項１又は請求項２の何れかに記載される袋物兼用ハンカチにおいて、上記長方形状の布生地本体の両表面において、短辺に並行し長辺を三分割する２つの横線により区画された３面の隣接する面同士は相互に異なる色又は模様を施す態様で形成したことを特徴とするものである。
【００１１】
本考案は、請求項５に記載のように、請求項１又は請求項２の何れかに記載される袋物兼用ハンカチにおいて、上記長方形状の布生地本体の両表面において、長辺に並行し短辺を三分割する２つの縦線により区画された３面を各面独立の色又は模様を施す態様で形成したことを特徴とするものである。
【００１２】
本考案は、請求項６に記載のように、請求項１又は請求項２の何れかに記載される袋物兼用ハンカチにおいて、上記長方形状の布生地本体の両表面において、長辺に並行し短辺を三分割する２つの縦線により区画された３面の隣接する面同士は相互に異なる色又は模様を施す態様で形成したことを特徴とするものである。
【００１３】
本考案は、請求項７に記載のように、請求項１又は請求項２の何れかに記載される袋物兼用ハンカチにおいて、上記長方形状の布生地本体の両表面において、長辺に並行し短辺を三分割する２つの縦線と、短辺に並行し長辺を二分割する１つの横線により区画された６面を各面独立の色又は模様を施す態様で形成したことを特徴とするものである。
【００１４】
本考案は、請求項８に記載のように、請求項１又は請求項２の何れかに記載される袋物兼用ハンカチにおいて、上記長方形状の布生地本体の両表面において、長辺に並行し短辺を三分割する２つの縦線と、短辺に並行し長辺を二分割する１つの横線により区画された６面の縦横いずれかに隣接する面同士は相互に異なる色又は模様を施す態様で形成したことを特徴とするものである。
【考案の効果】
【００１５】
本考案は、請求項１乃至請求項２に記載した構成を採用することにより、ハンカチとしての商品価値を損なうことがなく、かつ経済性に資する袋物兼用ハンカチを提供することが可能となる。
本考案は、請求項３乃至請求項８に記載した構成を採用することにより、ハンカチとしての商品価値を損なうことがなく、かつ経済性に資する袋物兼用ハンカチを提供することが可能となると共に、長方形状の布生地本体を、容易にハンカチの所有態様に折り畳むことが可能となる。
【図面の簡単な説明】
【００１６】
【図１】本考案に係る袋物兼用ハンカチの一実施形態を表した平面図である。
【図２】本考案に係る袋物兼用ハンカチの袋物として使用した場合の一実施形態を表した図である。
【図３】本考案に係る袋物兼用ハンカチの袋物として使用した場合の一実施形態を表した図である。
【図４】本考案に係る袋物兼用ハンカチを折り畳む作業の工程１を説明する図である。
【図５】本考案に係る袋物兼用ハンカチを折り畳む作業の工程２を説明する図である。
【図６】本考案に係る袋物兼用ハンカチの模様を施した一実施形態を表した平面図である。
【図７】本考案に係る袋物兼用ハンカチの模様を施した一実施形態を表した平面図である。
【図８】本考案に係る袋物兼用ハンカチの模様を施した一実施形態を表した平面図である。
【考案を実施するための形態】
【００１７】
以下、図１〜図８を参照し、本考案に係る袋物兼用ハンカチの一実施形態に関して詳細に説明する。
本考案に係る袋物兼用ハンカチは、日常的にはハンカチとして使用され、買い物時など使用者の状況に応じて、エコバッグ等の袋物としても使用されるものである。
【００１８】
本考案に係る袋物兼用ハンカチは、２枚の長方形状のシート状の布生地本体１を重ね合わせ、長方形からなる当該布生地本体１の２つの長辺および一方の短辺の三辺を相互に縫着することにより、残りの他方の短辺を開口部とする袋状体が形成されている。
すなわち、図１等に示すように、袋状体としては、長方形状の布生地本体１の両長辺が両側辺部となり、縫着された一方の短辺は底辺部として形成され、縫着されていない残りの他方の短辺が開口部となるものである。
【００１９】
本考案においては、布生地本体１の素材は限定されるものではなく、綿、麻などの天然素材や各種合成繊維など、基本的にハンカチとしての使用良好性に基づき適宜選択されるものである。
【００２０】
また、生地の厚みも特段限定されるものではないが、袋状体を形成するために、上述のとおり、シート状の２枚の布生地本体１を縫着しているため、ハンカチとして所持する際の折り畳んだ状態を考慮すれば、可及的に薄手の生地が望ましい。
【００２１】
本実施例においては、使用するシート状の長方形状布生地本体１は、高さ３６ｃｍ、幅２４ｃｍの寸法や、高さ４５ｃｍ、幅３５ｃｍの寸法とし、ハンカチとしての使用時に折り畳んだ状態や袋物としての利便性を総合的に勘案したサイズとしたが、上述生地と同様、寸法についても特段の限定はない、
【００２２】
本考案の特徴的構成は、袋状体となった布生地本体に切欠部２を設けた点である。
【００２３】
すなわち、実施例においては、布生地本体１の開口部の僅かに下方の中心部に、２枚の布生地本体相互を貫通する直線状の切欠部２を設けることにより、布生地本体１を開いた状態において当該切欠部２に使用者の手を差し入れることにより、袋物の持ち手として機能することが可能となる（図２および図３参照）。
【００２４】
なお、本実施例、例えば、高さ３６ｃｍ、幅２４ｃｍの実施例においては、開口部下方約４ｃｍの中心部に、長さ１１ｃｍの開口部に並行する直線状の切欠部２を設けているが、布生地本体の模様や寸法に応じて適宜決定されるものである。
【００２５】
また、切欠部のほつれ防止のため、各切欠辺に、かかり縫いを施すことが想定される。
【００２６】
すなわち、本考案は、上述の従来技術にみられるような、持ち手としての紐状体が外部に露出するような体裁（すなわち、一般的に袋物として認識される形態）ではなく、ハンカチとして使用した状態においても、ハンカチ本来の商品価値を損なうことの無いものとなる。
【００２７】
また、持ち手などの布シートとは別途の部材を付加することなく、極めて簡易な方法で袋物としても機能するハンカチを提供することが可能となり、製造コストを飛躍的に低減することが可能となる。
【００２８】
本考案は、正方形状からなる通常のハンカチとは異なり、長方形状を全体の形態とするが、ハンカチとして折り畳んだ状態で所有する場合であっても、容易に折り畳むことが可能となる。
【００２９】
本考案における「横線」とは、布生地本体の短辺（布生地本体の幅）に並行し当該短辺と同一の長さからなる直線の意味であり、「縦線」とは、布生地本体の長辺（布生地本地の高さ）に並行し当該長辺と同一の長さを有する直線を意味するものである。
【００３０】
布生地本体の寸法や模様に応じた各種の折畳み方が想定されるが、以下、２つの折り畳みパターンを説明する。
【００３１】
一つの折畳み方（図４に示す折畳作業の工程１）としては、まず、第一段階として、図４に示す上図のように、広げた布生地本体の開口辺部と底辺部を、各矢印方向に、相互に折る態様で三つ折りにする。
【００３２】
つぎに、第二段階として、図４に示す下図のように、矢印方向に、第一段階を経た状態で両短辺を重ね合せるように二つ折りにすることにより、コンパクトにハンカチとして所有することが可能となる。
【００３３】
請求項３又は請求項４に記載された構成は、上記した折畳作業の工程１の各段階を経て長方形状の布生地本体を折り畳む際の使用者に対する便宜を図るためのものである。
【００３４】
すなわち例えば、図６に示すように、長方形状の布生地本体の表面において、短辺に並行し長辺を三分割する２つの横線Ｗ１Ｗ２をもって、布生地本体の表面に、３つの長方形状の面が区画される。
【００３５】
本考案においては、横線Ｗ１Ｗ２に区画された３面を各面独立の色又は模様を施し、あるいは、隣接する面同士を異なる色又は模様とすることにより、横線Ｗ１Ｗ２に対応するラインが布生地本体の表面に表出される態様となり、上記したような布生地本体を折り畳む際の便宜に資する袋物兼用ハンカチを提供することが可能となる。
【００３６】
すなわち、横線Ｗ１Ｗ２は、折畳み作業の第一段階における三つ折りの折畳み線の目安になる。
【００３７】
なお、図６に示す実施形態は、請求項４に対応する構成、すなわち、表面に形成された３面について隣接する各面同士を異なる模様とする構成を採用しており、具体的には、横線Ｗ１Ｗ２間の中央面をドット模様とすると共に上下の２面を無地とすることにより、長方形状布生地本体全面における横線Ｗ１Ｗ２に相当するラインを表出させ、使用者に当該ラインを視認可能とする態様となるものである。
【００３８】
また、他の折畳み方（図５に示す折畳作業の工程２）としては、まず、第一段階として、図６に示す上図のように、矢印方向に、広げた布生地本体の開口部辺と底部辺の両短辺を重ね合わせる態様で半分に折る。
【００３９】
つぎに、第二段階として、図５に示す中図のように、各矢印方向に、第一段階を経た状態で両側辺部を相互に折る態様で三つ折りにする。
【００４０】
最後に、第三段階として、図５に示す下図のように、矢印方向に、第二段階を経た状態で両短辺を重ね合せるように二つ折りにすることにより、コンパクトにハンカチとして所有することが可能となる。
【００４１】
請求項５乃至請求項８に記載された構成は、上記した折畳作業の工程２の各段階を経て長方形状の布生地本体を折り畳む際の使用者に対する便宜を図るためのものである。
【００４２】
すなわち例えば、図７に示すように、長方形状の布生地本体の表面において、長辺に並行し短辺を三分割する２つの縦線Ｌ１Ｌ２をもって、布生地本体の表面に、３つの長方形状の面が区画される。
【００４３】
本考案においては、縦線Ｌ１Ｌ２に区画された３面を各面独立の色又は模様を施し、あるいは、隣接する面同士を異なる色又は模様とすることにより、縦線Ｌ１Ｌ２に対応するラインが布生地本体の表面に表出される態様となり、上記したような布生地本体を折り畳む際の便宜に資する袋物兼用ハンカチを提供することが可能となる。
【００４４】
すなわち、縦線Ｌ１Ｌ２は、折畳み作業の第一段階における三つ折りの折畳み線の目安になる。
【００４５】
なお、図７に示す実施形態は、請求項６に対応する構成、すなわち、表面に形成された３面について隣接する各面同士を異なる模様とする構成を採用しており、具体的には、縦線Ｌ１Ｌ２間の中央面を細いストライプ模様とすると共に左右の２面を太いストライプからなる模様とすることにより、長方形状布生地本体全面における縦線Ｌ１Ｌ２に相当するラインを表出させ、使用者に当該ラインを視認可能とする態様となるものである。
【００４６】
また、例えば、図８に示すように、長方形状の布生地本体の表面において、長辺に並行し短辺を三分割する２つの縦線Ｌ１Ｌ２と、短辺に並行し長辺を二分割する１つの横線Ｗをもって、布生地本体の表面に、６つの長方形状の面が区画される。
【００４７】
本考案においては、縦線Ｌ１Ｌ２と横線Ｗに区画された６面を各面独立の色又は模様を施し、あるいは、少なくとも縦横何れかに隣接する面同士を異なる色又は模様とすることにより、縦線Ｌ１Ｌ２と横線Ｗに対応するラインが布生地本体の表面に表出される態様となり、上記したような布生地本体を折り畳む際の便宜に資する袋物兼用ハンカチを提供することが可能となる。
【００４８】
すなわち、横線Ｗは、折畳み作業の第一段階における折畳み線の目安になり、縦線Ｌ１Ｌ２は、折畳み作業の第二段階における折畳み線の目安になる。
【００４９】
なお、図６に示す実施形態は、請求項４に対応する構成、すなわち、表面に形成された６面について縦横に隣接する各面同士を異なる模様とする構成を採用しており、具体的には、横線Ｗを境に切欠部方向上部の３つの面の中央面を小さな径からなるドット模様とすると共に左右の２面を大きな径からなるドット模様とし、下部の３つの面の中央面は大きな径からなるドット模様とすると共に左右の２面を小さな径からなるドット模様とすることにより、長方形状布生地本体全面における縦線Ｌ１Ｌ２および横線Ｗに相当するラインを表出させ、使用者に当該ラインを視認可能とする態様となるものである。
【符号の説明】
【００５０】
１        布生地本体
２        切欠部
Ｌ１Ｌ２  縦線
Ｗ１Ｗ２  横線
【図１】
0003225351.tif 000003
【図２】
0003225351.tif 000004
【図３】
0003225351.tif 000005
【図４】
0003225351.tif 000006
【図５】
0003225351.tif 000007
【図６】
0003225351.tif 000008
【図７】
0003225351.tif 000009
【図８】
0003225351.tif 000010